(57)【要約】  【課題】  従来、枠組み足場の組み立てにおいて、上段の作業始めに足場の妻側に手摺枠が無いため、その位置においては非常に危険性が高い問題点があった。  【解決手段】  外枠１０の両側部杆１２にそれぞれ枠正面外側方向に突出して同じ高さに設ける位置決め金具２と、それぞれの位置決め金具２の下方に外枠１０の側部杆１２に沿って高さ方向に移動可能な取付金具３、６、９をそれぞれ設けた妻側手摺枠１、４、７、及び妻側手摺枠１、４、７を使用した枠組み足場の組立て方法による。また、上記取付金具１が、開口部３０と板状取付部材３１を有し水平方向に回動可能である妻側手摺枠１、更に、取付金具６、９が、建て枠Ｔの水平方向に設けられる杆Ｔ３に係合可能な凹部を有する妻側手摺枠４、７による。【選択図】図１
2006097324.tif 000002
【特許請求の範囲】
【請求項１】
外枠の両側部杆にそれぞれ枠正面外側方向に突出して同じ高さに設ける位置決め金具と、それぞれの位置決め金具の下部に外枠の側部杆に沿って高さ方向に移動可能な取付金具をそれぞれ設けたことを特徴とする妻側手摺枠。
【請求項２】
取付金具が、開口部と開口部を閉ざす板状取付部材を有するとともに、水平方向に回動可能な取付金具である請求項1記載の妻側手摺枠。
【請求項３】
取付金具が、建て枠の水平方向に設けられる杆に係合可能な凹部を有する取付金具である請求項1記載の妻側手摺枠。
【請求項４】
外枠の両側部杆にそれぞれ枠正面外側方向に突出して同じ高さに設ける位置決め金具と、それぞれの位置決め金具の下部に外枠の側部杆に沿って高さ方向に移動可能な取付金具をそれぞれ設けた妻側手摺枠を下段の足場から先行方法又は据置き方法によって上段の足場の妻側手摺枠として立設することを特徴とする妻側手摺枠を使用した枠組み足場の組立て方法。
【発明の詳細な説明】
【技術分野】
【０００１】
この発明は、建築現場、造船現場などにおいて組立てられる枠組み足場に使用する妻側手摺枠、及びこの妻側手摺枠を使用した枠組み足場の組立方法に関する。
【背景技術】
【０００２】
従来、建築現場、造船現場等の工事現場等において組立てられる枠組み足場は、組立て時において、上段の足場は、手摺枠が無いまま床付き布枠を設けて作業をすると危険性が高いため、下段の足場から据置き又は先行の方法で手摺枠を上段に設ける組立て方法が知られていた。しかし、このような枠組み足場の組立て方法においても、上段の足場の妻側端部は、下段の足場から妻側手摺枠が嵌め込めないため、上段の足場の妻側端部には手摺枠が無い状態で上段の足場に上がり、そこから妻側に手摺枠やブレースなどを設けて安全を確保する作業をおこなっていた。（従来技術１）。
【発明の開示】
【発明が解決しようとする課題】
【０００３】
しかし、従来技術１では、上段の作業始めに足場の妻側に手摺枠が無いため、その位置においては非常に危険性が高く、作業者は安全ロープ等の安全装置を付けて作業を行う必要があった。
【０００４】
そのため、妻側手摺枠を設ける作業の作業性が悪く、装着作業が行い難い課題があった。
【課題を解決するための手段】
【０００５】
上記の課題を解決するために、外枠の両側部杆にそれぞれ枠正面外側方向に突出して同じ高さに設ける位置決め金具と、それぞれの位置決め金具の下部に外枠の側部杆に沿って高さ方向に移動可能な取付金具をそれぞれ設けたことを特徴とする妻側手摺枠を提案する。
【０００６】
また、取付金具が、開口部と開口部を閉ざす板状取付部材を有するとともに、水平方向に回動可能な取付金具である０００５欄に記載の妻側手摺枠を提案する。
【０００７】
更に、取付金具が、建て枠の水平方向に設けられる杆に係合可能な凹部を有する取付金具である０００５欄に記載の妻側手摺枠を提案する。
【０００８】
更にまた、外枠の両側部杆にそれぞれ枠正面外側方向に突出して同じ高さに設ける位置決め金具と、それぞれの位置決め金具の下部に外枠の側部杆に沿って高さ方向に移動可能な取付金具をそれぞれ設けた妻側手摺枠を下段の足場から先行方法又は据置き方法によって上段の足場の妻側手摺枠として立設することを特徴とする妻側手摺枠を使用した枠組み足場の組立て方法を提案する。
【発明の効果】
【０００９】
この発明によれば、上段の足場の妻側にも妻側手摺枠を、下段の足場から１人の作業員で容易に設置することができる。したがって、上段の足場の床付き布枠を設けて作業者が上段の足場で作業をしようとするときには、既に上段足場の妻側端部にも妻側手摺枠が設置されているため、安全に作業を行うことができる。
【００１０】
取付金具が、外枠の側部杆に沿って高さ方向に移動可能であるので、建て枠のサイズの違いや補剛材の高さ位置の違いに対応して設置することができるため、広い汎用性を有する。
【００１１】
取付金具が、開口部と開口部を閉ざす板状取付部材を有するとともに、水平方向に回動可能であると建て枠のサイズや形状が異なったものであっても対応できる利点があり、汎用性が大きい。
【発明を実施するための最良の形態】
【００１２】
次にこの発明の妻側手摺枠について、第１実施形態の妻側手摺枠を妻側建て枠に設けた状態の枠組足場の妻側端部外側から見た正面図である図１、同じく図１のＡＡ線矢視図であり取付金具を取り付ける前を示す図２、同じく図１のＡＡ線矢視図であり取付金具を取り付けた後を示す図３、同じく図１のＢ部拡大図であり位置決め金具の側面図である図４、第２実施形態の第１実施例の妻側手摺枠の正面図である図５、同じく側面図である図６、図５の取付金具の拡大側面を示す図７、第２実施形態の第２実施例を示す妻側手摺枠の正面図である図８、同じく側面図である図９、図８の取付金具の拡大側面を示す図１０に基づいて説明する。
【００１３】
この発明の第１実施形態を示す妻側手摺枠１は、下方が開口するコ字形状の杆であり上部杆１１と両側の側部杆１２、１２とからなる外枠１０と、外枠１０の下部に水平に下杆１３を設け、外枠１０の上部杆１１及び下杆１３の中間に平行して中杆１４を設け、上部枠１１、中杆１４、下杆１３を連結しているＵ字状杆１５からなる。
【００１４】
外枠１０の両側部枠１２のそれぞれ下部に、枠正面外側方向に突出して同じ高さに設ける位置決め金具２と、それぞれの位置決め金具２の下方に、それぞれの側部杆１２、１２に沿って高さ方向に移動可能な取付金具３をそれぞれ設けている。それぞれの側部杆１２は、下部に上下に間隔をおいて２つの取付金具停止ピン１２０を突出して設け、この２つの取付金具停止ピン１２０、１２０間に取付金具３を側部杆１２に沿って高さ方向に移動可能である。
【００１５】
位置決め金具２は、図４に示すように建て枠Ｔの横架材Ｔ１に上方から載置可能な係止凹部２０を下方に向けて開口するつかみ金具からなる。
【００１６】
取付金具３は、側部杆１２に沿って上下に間隔をおいて突出して設けられた取付金具停止ピン１２０、１２０の間で高さ方向に移動可能であり、かつ側部枠１２を回動中心軸として水平方向に回動可能に設けらていれる。取付金具３は、回動先端側に取付開口部３０を形成しており、回動方向は側部枠１２の外側を枠正面外側へ向かって水平方向で回動し、取付金具３が下杆１３と平行な位置にあるとき取付開口部３０の開口方向は位置決め金具２の突出方向と同じである。
【００１７】
取付開口部３０は、板状体を平面視コ字形に形成してなり、コ字形状の内部に建て枠Ｔの縦杆Ｔ２を収納可能である。くさび体３１は、取付開口部３０のコ字開口部分の対向する板状体に設けられるくさび穴に挿脱可能に設けられる。
【００１８】
次に、この発明の第１実施形態の妻側手摺枠１を、下段の足場から先行方法又は据置き方法によって上段の足場の妻側手摺枠１として順次立設する枠組み足場の組立て方法について説明する。作業者は、下段の足場でかつ足場妻側端部の内側から妻側の建て枠Ｔの横架材Ｔ１に位置決め金具２の係止凹部２０を係合させて位置決めする。このとき、妻側手摺枠１は、その枠正面が、妻側建て枠Ｔの枠正面と同じ方向であり、位置決め金具３より上方の妻側手摺枠１は、足場の妻側端部より外方へ出てやや傾いている。次に、作業者は、位置決め金具２より下部の側部枠１２を足場の妻側端部外方へ押すことによって位置決め金具２を横架材Ｔ１を中心に回動させ、妻側手摺枠１を妻側建て枠Ｔの枠面と平行となるような姿勢にする。
【００１９】
このとき、両側部枠１２のそれぞれ取付金具３は、それぞれの側部枠１２を回動中心として回動可能であり、かつ取付金具停止ピン１２０、１２０の間で高さ方向に移動可能であるため、妻側建て枠Ｔに設けられたブレースピンＴ４のような突出物があった場合も、回動によってそれらを避けながら適切な高さ位置に位置させることが可能である。このとき、くさび体３１は、取付開口部３０のくさび孔から落ちないように外されている。
【００２０】
次に、順番に左右のどちらかの取付金具３を回動させ、取付開口部３０を妻側建て枠Ｔの縦杆Ｔ２をコ字状内部に収納して係合させる。この状態で、取付開口部３０のくさび孔にくさび体３１を挿入して通することによって取付金具３を妻側建て枠Ｔの縦杆Ｔ２に係合して固定する。同様にして左右反対側の取付金具３も妻側建て枠Ｔの縦杆Ｔ２に係合して固定する。これによって、下段の足場から上段の足場の妻側手摺枠１を妻側建て枠Ｔに立設することができる。
【００２１】
次に発明の第２実施形態の第１実施例の妻側手摺枠４について図５乃至図７に基づいて、第２実施形態の第２実施例の妻側手摺枠７について図８乃至図１０に基づいて説明する。
【００２２】
第２実施形態の第１実施例の妻側手摺枠４と第２実施例の妻側手摺枠７は、位置決め金具５、８及び取付金具６、９の形状が少し異なるだけであり、作用は同じなので共通な部分の説明は同じである。したがって、以下異なる部分以外の説明は、共通である。
【００２３】
第２実施形態の第１実施例の妻側手摺枠４と第２実施例の妻側手摺枠７は、下方が開口するコ字形状の杆であり上部杆４１、７１と左右の側部杆４２、７２とからなる外枠４０、７０と、上部杆４１、７１に平行して両側部杆４２、７２の間に架設される２本の中杆４３、７３からなる。それぞれの側部杆４２、７２のそれぞれ下部にそれぞれ枠正面方向に突出して位置決め金具５、８を同じ高さで設ける。
【００２４】
位置決め金具５は第１実施例であり図６に示すように建て枠Ｔの横架材Ｔ１に係止凹部５０を係合して回動可能な係止凹部５０を有するつかみ金具からなる。また、図９に示す位置決め金具８の第２実施例は、Ｕ字金具からなり、Ｕ字開口部８０を下方に向けて側部枠７２に固定されており、建て枠Ｔの横架材Ｔ１にＵ字開口部８０を係合して回動可能である。それぞれの位置決め金具５、８の下部にそれぞれ取付金具６、９を設ける。
【００２５】
図６及び図７に示す取付金具６は第１実施例であり、側部杆４２に沿って上下に移動可能である。取付金具６は、建て枠Ｔの横架材Ｔ１より下方の水平方向に設けられた杆、一般的には補剛材Ｔ３に係合可能な係止凹部６０を有するつかみ金具と、それぞれの側部杆４２を内包する円筒部６１と、ボルト止め部６２とを有する。取付金具６は、ボルト止め部６２を緩めることで円筒部６１によって側部杆４２に沿って上下に移動可能であり、適切な高さ位置で、ボルト止め部６２を締めることで円筒部６１は側部杆４２に固定される。また、取付金具６は、側部杆４２の下端部近傍に、取付金具止めピン４２０を設けてあり、ボルト止め部６２を緩ませた状態でも円筒部６１が側部杆４２の下端から抜け落ちないような構成になっている。
【００２６】
図９及び図１０に示す取付金具９は第２実施例であり、側部杆７２に沿って上下に移動可能である。取付金具９は、建て枠Ｔの横架材Ｔ１より下方の水平方向に設けられた杆、一般的には補剛材Ｔ３に係合可能なＵ字開口部９０を下方に向けて有するＵ字金具と、それぞれの側部杆７２を内包する円筒部９１と、ボルト止め部９２とを有する。取付金具９は、ボルト止め部９２を緩めることで円筒部９１によって側部杆７２に沿って上下に移動可能であり、適切な高さ位置で、ボルト止め部９２を締めることで円筒部９１は側部杆７２に固定される。また、取付金具９は、側部杆７２の下端部近傍に、取付金具止めピン７２０を設けてあり、ボルト止め部９２を緩ませた状態でも円筒部９１が側部杆７２の下端から抜け落ちないような構成になっている。
【００２７】
次に、上段の足場の第２実施形態の妻側手摺枠４、７を、下段の足場から先行方法又は据置き方法によって上段の足場の妻側手摺枠４、７として順次立設する枠組み足場の組立て方法について説明する。作業者は、下段の足場でかつ足場妻側端部の内側から妻側の建て枠Ｔの横架材Ｔ１に位置決め金具５、８の係止凹部５０、８０を係合させて位置決めする。このとき、妻側手摺枠４、７は、その枠正面が、妻側建て枠Ｔの枠正面と同じ方向であり、位置決め金具５、８より上方の妻側手摺枠４、７は、足場の妻側端部より外方へ出てやや傾いている。次に、作業者は、位置決め金具５、８より下部の側部枠４２、７２を足場の妻側端部外方へ押すことによって位置決め金具５、８を横架材Ｔ１を中心に回動させ、妻側手摺枠４，７を妻側建て枠Ｔの枠面と平行となるような姿勢にする。
【００２８】
取付金具６、９は、建て枠Ｔの水平方向に設けられた補剛材Ｔ３に係合させるため、ボルト止め部６２、９２を緩めて側部枠４２、７２に移動可能な状態にして高さ調節し、補剛材Ｔ３に上方から係止凹部６０、９０で係止させる。建て枠Ｔの補剛材Ｔ３の高さ位置は、様々な形式や大きさによって異なるため、取付金具６、９の高さ調節は必要となる。取付金具６、９を補剛材Ｔ３に係止凹部６０、９０で係止させた後、ボルト止め部６２、９２を締めることで円筒部６１、９１を側部杆４２、７２に固定させて取付金具６、９をを妻側建て枠Ｔに立設する。同様にして左右反対側の取付金具３も妻側建て枠Ｔの縦杆Ｔ２に係合して固定する。このように左右側部枠４２、７２の上部の位置決め金具５、８と下部の取付金具６、９によって妻側手摺枠４、７は、妻側建て枠Ｔに確実に立設される。そのため、先行方法でも据置き方法においても下段の足場から上段の足場の妻側手摺枠１を妻側建て枠Ｔに立設することができる。
【産業上の利用可能性】
【００２９】
この発明は、建築現場、造船現場などにおいて組立てられる枠組み足場の妻側端部に利用される可能性が高い。
【図面の簡単な説明】
【００３０】
【図１】この発明の妻側手摺枠の第１実施形態を妻側建て枠に設けた状態の枠組足場の妻側端部外側から見た正面図
【図２】同じく図１のＡＡ線矢視図であり取付金具を取り付ける前を示す平面断面図
【図３】同じく図１のＡＡ線矢視図であり取付金具を取り付けた後を示す平面断面図
【図４】同じく図１のＢ部拡大図であり位置決め金具の側面図
【図５】この発明の妻側手摺枠の第２実施形態の第１実施例をを示す正面図
【図６】同じく側面図
【図７】同じく図５の取付金具の拡大側面図
【図８】この発明の妻側手摺枠の第２実施形態の第２実施例をを示す正面図
【図９】同じく側面図
【図１０】同じく図８の取付金具の拡大側面図
【符号の説明】
【００３１】
１  妻側手摺枠（第１実施形態）
１０  外枠
１１  上部杆
１２  側部杆
１２０  取付金具停止ピン
１３  下杆
１４  中杆
１５  Ｕ字状杆
２  位置決め金具
２０  係止凹部
３  取付金具
３０  取付開口部
３１  くさび体（板状取付体）
４  妻側手摺枠（第２実施形態の第１実施例）
４０  外枠
４１  上部杆
４２  側部杆
４２０  取付金具止めピン
４３  中杆
５  位置決め金具
５０  係止凹部
６  取付金具
６０  係止凹部
６１  円筒部
６２  ボルト止め部
７  妻側手摺枠（第２実施形態の第２実施例）
７０  外枠
７１  上部杆
７２  側部杆
７２０  取付金具止めピン
７３  中杆
８  位置決め金具
８０  係止凹部
９  取付金具
９０  係止凹部
９１  円筒部
９２  ボルト止め部
Ｔ  妻側建て枠
Ｔ１  横架材
Ｔ２  縦杆
Ｔ３  補剛材
Ｔ４  ブレースピン止め
【図１】
2006097324.tif 000003
【図２】
2006097324.tif 000004
【図３】
2006097324.tif 000005
【図４】
2006097324.tif 000006
【図５】
2006097324.tif 000007
【図６】
2006097324.tif 000008
【図７】
2006097324.tif 000009
【図８】
2006097324.tif 000010
【図９】
2006097324.tif 000011
【図１０】
2006097324.tif 000012